(57)【特許請求の範囲】
【請求項１】
写真フィルムを連結させて自動現像処理を行うためのシート状のリーダと前記写真フィルムとの連結を解除させるためのフィルム連結解除器であって、
前記リーダには、その進行方向後部に、第１挿入孔と第２挿入孔とが前記進行方向に沿って所定の間隔により形成されており、前記写真フィルムを連結する際には、前記リーダの一方の面側から前記写真フィルムの端部を前記第１挿入孔に挿入させて他方の面側に移動させ、さらに、前記写真フィルムの端部を前記第２挿入孔に挿入させて前記他方の面側から前記一方の面側に移動させ、前記第２挿入孔を横切るように設けられた突片を前記写真フィルムの端部に設けられた係合孔に係合させることで連結し、この連結された前記リーダと前記写真フィルムの連結を解除するためのフィルム連結解除器において、
前記一方の面側から前記第１挿入孔に挿入される第１解除部材と、
この第１解除部材の挿入により前記写真フィルムにたるみを生じさせた状態で、前記他方の面側から前記第２挿入孔に挿入される第２解除部材とを備え、
この第２解除部材により、前記写真フィルムの前記係合孔に挿入された前記突片を前記写真フィルムから離脱させることを特徴とするフィルム連結解除器。
【請求項２】
前記第１解除部材が前記第１挿入孔に対して所定量挿入されるのに連動して、前記第２解除部材が作動開始するように構成されていることを特徴とする請求項１に記載のフィルム連結解除器。
【請求項３】
前記第１解除部材は可撓性を有することを特徴とする請求項１又は２に記載のフィルム連結解除器。
【請求項４】
前記第１および第２解除部材はそれぞれ複数設けられており、複数の写真フィルムの連結を同時に解除可能に構成したことを特徴とする請求項１〜３のいずれか１項に記載のフィルム連結解除器。
【請求項５】
前記写真フィルムの現像処理を行うため、前記写真フィルムを連結した前記リーダを挿入する挿入部と、
前記写真フィルムの現像処理を行う現像処理部と、
現像処理の終了した写真フィルムを排出する排出部と、
排出された前記写真フィルムをストックするフィルムストック部とを備えたフィルム現像装置において、
前記フィルムストック部を構成するフレーム部材に、請求項１〜４のいずれか１項に記載のフィルム連結解除器を取り付けたことを特徴とするフィルム現像装置。
【発明の詳細な説明】
【０００１】
【発明の属する技術分野】
本発明は、写真フィルムを連結させて自動現像処理を行うためのシート状のリーダと前記写真フィルムとの連結を解除させるためのフィルム連結解除器及びこのフィルム連結解除器が取り付けられるフィルム現像装置に関する。
【０００２】
【従来の技術】
フィルム現像装置において、露光済みのネガフィルム（写真フィルムに相当する。）の現像を行う場合に、可撓性を有するシート状のリーダと呼ばれる部材を用い、このリーダに１本又は複数本のネガフィルムを連結させ、ネガフィルムを連結したリーダをフィルム現像装置に投入することでネガフィルムの現像処理を行うようにしている。ここで、リーダとネガフィルムの連結方法については特開平９−７３１６１号公報に開示された技術があり、これを図１により簡単に説明する。
【０００３】
リーダＬには、その進行方向後部に、第１挿入孔Ｐ１と第２挿入孔Ｐ２とが進行方向に沿って所定の間隔により形成されている。ネガフィルム１をリーダＬに連結する際には、リーダＬの一方の面側（図１では表面に相当する。）からネガフィルム１の端部１ｂを第１挿入孔Ｐ１に挿入させて他方の面側（図１では裏面に相当する。）に移動させ、さらに、ネガフィルム１の端部１ｂを第２挿入孔Ｐ２に挿入させて他方の面側から一方の面側に移動させ、第２挿入孔Ｐ２を横切るように設けられた突片３ａをネガフィルム１の端部１ｂに設けられた係合孔１ａに係合させることで連結する。
【０００４】
このようにリーダに接続されたネガフィルムがフィルム現像装置に投入されると、所定の現像処理等が施されて、装置の外部に排出される。そして、排出されたネガフィルムとリーダとを切り離す必要がある。
【０００５】
【発明が解決しようとする課題】
しかしながら、従来においてはフィルム現像装置から排出されたネガフィルムとリーダとを切り離すのを手作業で行っており煩雑であった。特に、経験の未熟なオペレータによる手作業による場合には、ネガフィルムの端部に折れが発生する危険性があった。また、手作業による場合には突片３ａをネガフィルム１の係合孔１ａからいったん離脱させることができたとしても、ネガフィルム１を第１挿入孔Ｐ１、第２挿入孔Ｐ２から引き抜こうとしたときに、再度、突片３ａが係合孔１ａに引っかかってしまい、うまくネガフィルム１を離脱させることができないという問題もあった。
【０００６】
なお、上記特開平９−７３１６１号公報には自動的にリーダとネガフィルムとの連結を解除する装置が開示されているが、ネガフィルムにたるみを生じさせるための搬送機構が設けられており、構成が複雑になるとともにオペレータが簡便に取り扱うことのできるものとはいえなかった。
【０００７】
本発明は上記実情に鑑みてなされたものであり、その目的は、確実にリーダと写真フィルムとの切り離しを行うことのできる簡便なフィルム連結解除器及びこのフィルム連結解除器が用いられるフィルム現像装置を提供することである。
【０００８】
【課題を解決するための手段】
上記目的を達成するため本発明に係るフィルム連結解除器は、
写真フィルムを連結させて自動現像処理を行うためのシート状のリーダと前記写真フィルムとの連結を解除させるためのフィルム連結解除器であって、
前記リーダには、その進行方向後部に、第１挿入孔と第２挿入孔とが前記進行方向に沿って所定の間隔により形成されており、写真フィルムを連結する際には、前記リーダの一方の面側から前記写真フィルムの端部を前記第１挿入孔に挿入させて他方の面側に移動させ、さらに、前記写真フィルムの端部を前記第２挿入孔に挿入させて前記他方の面側から前記一方の面側に移動させ、前記第２挿入孔を横切るように設けられた突片を前記写真フィルムの端部に設けられた係合孔に係合させることで連結し、この連結された前記リーダと前記写真フィルムの連結を解除するためのフィルム連結解除器において、
前記一方の面側から前記第１挿入孔に挿入される第１解除部材と、
この第１解除部材の挿入により前記写真フィルムにたるみを生じさせた状態で、前記他方の面側から前記第２挿入孔に挿入される第２解除部材とを備え、
この第２解除部材により、前記写真フィルムの前記係合孔に挿入された前記突片を前記写真フィルムから離脱させることを特徴とするものである。
【０００９】
この構成による作用は次の通りである。
（１）フィルム現像装置から排出された、写真フィルムの連結されたリーダを、フィルム連結解除器にセットする。
（２）第１解除部材を、リーダの一方の面側から第１挿入孔に挿入し、これにより写真フィルムにたるみを生じさせる。
（３）その次に、他方の面側から第２解除部材を第２挿入孔に挿入する。これにより、写真フィルムの係合孔に挿入された突片を写真フィルムから離脱させる。
【００１０】
この状態で写真フィルムを引き抜くことで、確実に写真フィルムをリーダから切り離すことができる。この場合、写真フィルムの係合孔が再び引っかかってしまうような不都合は生じない。また、写真フィルムにたるみを生じさせるために搬送機構をわざわざ設ける必要がないから簡便なフィルム連結解除器とすることができた。
【００１１】
本発明の好適な実施形態として、前記第１解除部材が前記第１挿入孔に対して所定量挿入されるのに連動して、前記第２解除部材が作動開始するように構成されているものがあげられる。
【００１２】
この構成によると、第１解除部材により写真フィルムに確実にたるみを生じさせた後に第２解除部材が作動するように構成されるから、リーダからの写真フィルムの取り外し作業を確実に行うことができる。
【００１３】
本発明の別の好適な実施形態として、前記第１解除部材は可撓性を有するものがあげられる。第１解除部材を第１挿入孔に挿入して写真フィルムにたるみを生じさせた状態で、第２解除部材を第２挿入孔に挿入させたときに第１解除部材を変形させようとする力が作用する。（詳しくは後述するが、実施形態を説明した図４、図５を参照のこと。）このときに、第１解除部材が可撓性を有することで変形をし、第２解除部材を挿入する際に無理な力が作用して写真フィルムを傷つけたり、折れ曲がったりすることを防止できる。
【００１４】
本発明の更に別の好適な実施形態として、前記第１および第２解除部材はそれぞれ複数設けられており、複数の写真フィルムの連結を同時に解除可能に構成したものがあげられる。
【００１５】
リーダに複数本の写真フィルムを連結させた場合に、第１及び第２解除部材を複数設けることにより、これらを同時に作動させて、複数の写真フィルムの連結を同時に解除することができる。これにより、写真フィルムの取り外し作業の効率を改善することができる。
【００１６】
本発明の目的を達成するための本発明に係るフィルム現像装置は、
写真フィルムの現像処理を行うため、前記写真フィルムを連結した前記リーダを挿入する挿入部と、前記写真フィルムの現像処理を行う現像処理部と、現像処理の終了した写真フィルムを排出する排出部と、排出された前記写真フィルムをストックするフィルムストック部とを備えており、
前記フィルムストック部を構成するフレーム部材に、上記特徴構成を有するフィルム連結解除器を取り付けたことを特徴とするものである。
【００１７】
写真フィルムの現像処理を行う場合には、これをリーダに連結させた状態で挿入部から挿入する。現像処理が終了すると、写真フィルムは排出部から排出されてフィルムストック部にストックされていく。フィルムストック部を構成するフレーム部材にフィルム連結解除器を取り付けておくことにより、オペレータは、リーダと写真フィルムとの連結を解除する作業を行うことができる。フィルム連結解除器を挿入部とは異なる場所に取り付けておくことができるので、挿入部における作業を邪魔することなく、リーダの取り外し作業を行うことができる。
【００１８】
【発明の実施の形態】
本発明の好適な実施形態を図面を用いて説明する。図１、図２は、リーダ及びリーダとネガフィルムとの連結機構を示す図である。
＜リーダの構成＞
リーダＬは、リーダ本体２と２つの連結用シート材３とから構成される。リーダ本体２には、フィルム現像装置内のスプロケット（不図示）と係合するパーフォレーション２ａが中央部に形成されている。連結用シート材３は、リーダＬの進行方向（図１に矢印Ａで示される。）の後端側に接着等の適宜の手法により結合される。
【００１９】
連結用シート材３には、リーダＬの進行方向に沿って後端側から順に第１挿入孔Ｐ１と第２挿入孔Ｐ２とが所定の間隔を持って形成されている。進行方向の前側に第２挿入孔Ｐ２が、後側に第１挿入孔Ｐ１が形成されている。第１挿入孔Ｐ１は、ネガフィルム１の幅とほぼ同じ幅を有する矩形状の孔として形成されている。第２挿入孔Ｐ２を進行方向に沿って横切るように一対の突片３ａが形成されている。突片３ａは、第２挿入孔Ｐ２の進行方向側の一辺から、進行方向の後側に沿って伸びており、ネガフィルム１の端部１ｂに形成された一対の係合孔１ａと係合することができる。突片３ａの先端には溝部３ｂが形成されており、突片３ａが変形しやすいようになっている。
図１において、左側にはネガフィルム１を連結する前の状態を示し、右側にはネガフィルム１を連結完了した状態を示す。ここに示されるネガフィルム１は、ＡＰＳと呼ばれる新タイプのフィルムである。
【００２０】
図２は、リーダ本体２に連結用シート材３を結合する前の状態を示す。リーダ本体２にも連結用シート材３と同様に第１挿入孔Ｐ１と第２挿入孔Ｐ２とが形成されている。
【００２１】
次に、ネガフィルム１をリーダＬに連結する場合の手順を説明する。まず、ネガフィルム１の端部１ｂを、リーダＬの第１挿入孔Ｐ１に挿入する。挿入するのは、リーダＬの表面（図１に示される面で、一方の面側に相当する。）から裏面（他方の面側に相当する。）へと挿入する。次に、裏面に移動したネガフィルム１の端部１ｂを、第２挿入孔Ｐ２に挿入する。挿入するのは、リーダＬの裏面から表面へと挿入する。第２挿入孔Ｐ２にネガフィルム１を挿入する時に、突片３ａを押しのけるようにして挿入するので、一端突片３ａが変形させられるが、その後、突片３ａを係合孔１ａに挿入することによりリーダＬとネガフィルム１との連結が完了する。
【００２２】
＜フィルム連結解除器の構成＞
図３は、フィルム連結解除器１０の外観を示す斜視図である。上述したように、ネガフィルム１を２本リーダＬに連結した状態で現像処理を行うのであるが、現像処理が終了すると、ネガフィルム１とリーダＬとを再び切り離す必要がある。そのために、フィルム連結解除器１０を利用する。
【００２３】
フィルム連結解除器１０は、本体ベース１１と、本体ベース１１に対して回転可能な操作部１２とを備えている。操作部１２には、一対の第１解除部材１３が設けられており、同時に２本のネガフィルム１の連結を解除できるようにしている。第１解除部材１３は、好ましくはナイロンにより形成されて可撓性を有しており、さらに、２つの孔１３ａを形成して変形しやすいようにしている。操作部１２の上には、手で操作する時のすべり止めのためにゴム製のラバー１４を設けている。また、一対の第１解除部材１３の間には、リーダＬを押さえておくためのクッション１５が設けられている。
【００２４】
＜作動説明＞
次に、図３のフィルム連結解除器を用いてリーダＬとネガフィルム１との連結を解除する時の作動を図４、図５により説明する。図４（ａ）において、第１解除部材１３は、支軸１３ｂまわりに回転可能に支持されている。また、第１解除部材１３は、第１挿入孔Ｐ１に挿入される第１作動片１３ｃと、連動ピン１３ｄとを備えている。第２解除部材１６は、支軸１６ａまわりに回転可能に支持されており、第２挿入孔Ｐ２に挿入される第２作動片１６ｂと、第２解除部材１３の連動ピン１３ｄが当接する連動片１６ｃとを備えている。また、第１解除部材１３を支軸１３ｂ周りの時計方向に付勢するためのばね１７が設けられている（図は模式的に示す。）。
【００２５】
図４（ａ）は初期状態である。第１作動片１３ｃの先端が第１挿入孔Ｐ１に向かい合うようにリーダＬをセットする。この状態で操作部１２を手で操作し、第１解除部材１３を支軸１３ｂ周りに反時計方向に回転させる。これにより、第１作動片１３ｃが第１挿入孔Ｐ１に挿入され、ネガフィルム１にたるみを生じさせる（図４（ｂ）参照）。さらに第１解除部材１３を回転させると、図４（ｃ）のようになり、ネガフィルム１のたるみ変形も大きくなる。第１解除部材１３の第１作動片１３ｃは可撓性を有しているから、ネガフィルム１のたるみ変形に応じて、第１作動片１３ｃも追従して変形することができる。
【００２６】
第１解除部材１３を所定角度回転させると、その連動ピン１３ｄが第２解除部材１６の連動片１６ｃに当接し、第２解除部材１６を支軸１６ａ周りに反時計方向に回転させる（図５（ａ）参照）。第２解除部材１６が更に回転させられると、第２作動片１６ｂが第２挿入孔Ｐ２に挿入される。これにより、ネガフィルム１の係合孔１ａから突片３ａが離脱する（図５（ｂ）参照）。この状態で操作部１２から手を放すと、ばね１７の付勢力により第１解除部材１３と第２解除部材１６とは元の状態に復帰しようとする。この時に、第１作動片１３ｃ、第２作動片１６ｂと、ネガフィルム１の間の摩擦力により、ネガフィルム１の端部１ｂを第２挿入孔Ｐ２から脱出させる（図５（ｃ）参照）。これにより、リーダＬからネガフィルム１をはずすことができる。
【００２７】
以上のように、フィルム連結解除器１０を用いることにより、簡単にネガフィルム１をリーダＬから切り離すことができる。また、一度の２本のネガフィルム１を切り離すことができるので作業効率がよい。
【００２８】
＜フィルム現像装置への適用例＞
図６は、フィルム現像装置２０に、フィルム連結解除器１０を取り付けた例である。このフィルム現像装置２０は、挿入部２１と、現像処理部２２と、乾燥処理部２３と、排出部２４と、フィルムストック部２５とを備えている。
【００２９】
ネガフィルム１の処理を行う場合には、これをリーダＬと連結し挿入部２１の蓋をあけて、ネガフィルム１付のリーダＬを投入する。ネガフィルム１は、現像処理部２２及び乾燥処理部２３により所定の処理が施された後、排出部２４から排出される。排出部２４には、排出用のローラ２４ａが設けられており、排出されたリーダＬ及びネガフィルム１は、フィルムストック部２５の内部に設けられたガイド２５ａの上を滑り落ちて順番にストックされていく。
【００３０】
フィルムストック部２５を構成するフレーム部材２５ｂに、図３で説明したフィルム連結解除器１０をネジ（不図示）により取り付ける。オペレータは、フィルム連結解除器１０が設けられている場所で、リーダＬをネガフィルム１から連結解除することができる。フレーム部材２５ｂは、透明の樹脂により形成されるのが好ましい。
【００３１】
従来は、挿入部２１が設けられている場所で、オペレータがリーダＬとネガフィルム１とを手動で切り離し作業を行うことが多かった。その場合は、切り離し作業を行う時は、挿入部２１からネガフィルム１を投入することができなかったので、作業効率が悪かったが、図６のような構成にすると、挿入部２１における作業をじゃましないで、リーダＬとネガフィルム１との切り離し作業を行うことができる。
【００３２】
＜別実施形態＞
（１）本実施形態では、リーダ本体２と連結用シート材３とでリーダＬを構成していたが、リーダ本体２そのものに連結用シート材３の形状を形成し、連結用シート材３を設けないような構成にしてもよい。
（２）リーダＬに連結されるネガフィルム１（写真フィルム）は２本に限定されず、１本又は３本以上でもよい。
【００３３】
（３）本実施形態では、ネガフィルム１の例としてＡＰＳによるものを説明しているがこれに限定されず、他のタイプのフィルムでもよい。
【図面の簡単な説明】
【図１】リーダ及びリーダとネガフィルムとの連結機構を示す図
【図２】リーダと連結用シート材を示す図
【図３】フィルム連結解除器の外観を示す斜視図
【図４】フィルム連結解除器による解除動作を説明する図（その１）
【図５】フィルム連結解除器による解除動作を説明する図（その２）
【図６】フィルム現像装置の外観図
【符号の説明】
１      ネガフィルム
２      リーダ本体
３      連結用シート材
１０    フィルム連結解除器
１３    第１解除部材
１６    第２解除部材
２０    フィルム現像装置
２５    フィルムストック部
２５ｂ  フレーム部材
Ｌ      リーダ
Ｐ１    第１挿入孔
Ｐ２    第２挿入孔
【図１】
0003712038.tif 000002
【図２】
0003712038.tif 000003
【図３】
0003712038.tif 000004
【図４】
0003712038.tif 000005
【図５】
0003712038.tif 000006
【図６】
0003712038.tif 000007